(57)【要約】【課題】使い勝手のよい体重計及び健康管理指針アドバイス装置を提供する。【解決手段】体重計１０の載台３の左右方向の中央部に、前方から後方に延びるとともに載台３の上面３１から上方に突出する突出部５を設け、使用者は突出部５を持って体重計部１０を持ち上げることができる。【選択図】　図１
2004144571.tif 000002
【特許請求の範囲】
【請求項１】
使用者が載る荷重支持手段と、前記荷重支持手段上に載る使用者の体重を測定する体重測定手段とを備えた体重計であって、
前記荷重支持手段を上方に向けて配置した状態で該上方へ突出する突出部を備え、
前記突出部は前記体重計を持ち上げるための取っ手としての機能を有する体重計。
【請求項２】
前記体重計は、該体重計を略直立させる際に接地する接地部を有し、
前記突出部の一方の端部と前記接地部は略同一面上に位置する請求項１に記載の体重計。
【請求項３】
使用者が載る荷重支持手段と、前記荷重支持手段上に載る使用者の体重を測定する体重測定手段とを有し、少なくとも前記荷重支持手段を含む体重計部を備えた健康管理指針アドバイス装置であって、
前記荷重支持手段を上方に向けて配置した状態で該上方へ突出する突出部を備え、
前記突出部は前記体重計部を持ち上げるための取っ手としての機能を有する健康管理指針アドバイス装置。
【請求項４】
前記健康管理指針アドバイス装置は略直立させて収納する際に接地する接地部を有し、
前記突出部の一方の端部と前記接地部は略同一面上に位置する請求項３に記載の健康管理指針アドバイス装置。
【請求項５】
前記荷重支持手段上に設けられ、使用者の足裏に接触する電極と、前記電極を介して印加され、又は検出される電気信号に基づいて健康管理に有益な指針情報を算出する指針情報算出手段とを備えた請求項３又は４に記載の健康管理指針アドバイス装置。
【請求項６】
前記突出部は、荷重支持手段上に載る使用者に対して左右方向の中央部に設けられている請求項３乃至５のいずれかに記載の健康管理指針アドバイス装置。
【請求項７】
使用者が載る荷重支持手段と、該荷重支持手段に載った使用者の体重を検出する体重検出手段とを含む第１のユニットと、
情報を表示する表示手段及び操作指示情報を入力する操作手段を含み、前記第１のユニットに着脱自在に設けられた第２のユニットと、
前記第１のユニット及び第２のユニットの少なくともいずれかに設けられた使用者の身体に電流を印加するための電流印加用電極と、
前記第１のユニット及び第２のユニットの少なくともいずれかに設けられた使用者の身体に印加された電流によって生じる身体抵抗電位を測定するための電圧測定用電極と、
前記体重検出手段の検出結果と前記身体抵抗電位の測定値とに基づいて健康管理に有益な指針情報を算出する指針情報算出手段とを備えた健康管理指針アドバイス装置において、
前記荷重支持手段を上方に向けて配置した状態で上方に突出する突出部を備え、
前記突出部は、少なくとも前記第１のユニットを持ち上げるための取っ手としての機能を有する健康管理指針アドバイス装置。
【請求項８】
前記突出部は、前記荷重支持手段上に載る使用者に対して左右方向の中央部に設けられる請求項７に記載の健康管理指針アドバイス装置。
【請求項９】
前記第１のユニットは略直立させて収納する際に接地する接地部を有し、
前記突出部の一方の端部と前記接地部は略同一面上に位置する請求項７又は８に記載の健康管理指針アドバイス装置。
【請求項１０】
前記第１のユニット及び第２のユニットを有線で接続して信号を伝送する有線伝送手段を備え、
前記突出部が、前記有線伝送手段を収容する収容部を備えた請求項７乃至９のいずれかに記載の健康管理指針アドバイス装置。
【請求項１１】
使用者が載る荷重支持手段と、該荷重支持手段に載った使用者の体重を検出する体重検出手段とを含む第１のユニットと、
前記第１のユニットに着脱自在に設けられ、使用者が把持する把持部を有する第２のユニットと、
前記第１のユニット及び第２のユニットの少なくともいずれかに設けられた使用者の身体に電流を印加するための電流印加用電極と、
前記第１のユニット及び第２のユニットの少なくともいずれかに設けられた使用者の身体に印加された電流によって生じる身体抵抗電位を測定するための電圧測定用電極と、
前記体重検出手段の検出結果と前記身体抵抗電位の測定値とに基づいて健康管理に有益な指針情報を算出する指針情報算出手段とを備えた健康管理指針アドバイス装置において、
前記第１のユニットの、前記荷重支持手段に載る使用者に対する左右方向の中央部に、前記第２のユニットを装着する装着手段を備え、
前記装着手段に装着された第２のユニットは、前記荷重支持手段を上方に向けて配置した状態で該上方へ突出し、前記健康管理指針アドバイス装置を持ち上げるための取っ手としての機能を有する健康管理指針アドバイス装置。
【発明の詳細な説明】
【０００１】
【発明の属する技術分野】
本発明は、体重計及び、体重を測定するとともに体脂肪率等の健康管理に有益な指針情報を提供する健康管理指針アドバイス装置に関する。
【０００２】
【従来の技術】
体重計は、家庭内では脱衣所に設置され、不使用時には邪魔にならないように壁際に寄せ、又は壁に立て掛けて設置されているのが一般的である。
【０００３】
従って、体重計を使用する際には、壁際から離し、又は壁から外して床面等に設置する作業が必要となる。
【０００４】
また、このような体重計のみならず、体重を測定する体重計部を有する体脂肪計等の健康管理指針アドバイス装置も提供されている（例えば、特許文献１参照。）。
【０００５】
【特許文献１】
特開２０００−３３３９２５号公報
【０００６】
【発明が解決しようとする課題】
しかしながら、体重計において、壁際に寄せられた体重計の端部を片手で掴んで持ち上げるのは、その重量から難しく、一方で、持ち上げることなく、そのまま引きずって移動させるのも好ましくない。
【０００７】
また、図１５に示すように、装置前方の表示部１０４側であり載台１２３の延長面上に取っ手１０５を設けて持ち運べる体重計１０１もあるが、取っ手１０５を握り、体重計１０１の本体を縦にして一旦全体を持ち上げた後に、体重計１０１の後端から接地させるような動作が必要となり、使い勝手が良くなかった。
【０００８】
上述した体重計部を有する体脂肪計等の健康管理指針アドバイス装置も従来の体重計と共通した形態で使用されるため、同様の問題点があった。
【０００９】
体重計部を有する健康管理指針アドバイス装置としては、体重計部に足裏に接触する電極を有し、掌に接触させる手用電極を有するグリップ部と体重計部をカールコードで接続する構成の体脂肪計が提供されているが、上述した問題点の他に後述するような問題点もあった。
【００１０】
このような体脂肪計では、カールコードを収納する収納部を、体重計部から前方に突出して設けていた（例えば、特許文献１参照。）。
【００１１】
また、グリップ部と一体に設けられた表示部を固定するために体重計部に設けられた固定部の下側に空間を確保し、カールコードの収納部としたものがあった。
【００１２】
前者の体脂肪計では、カールコードの収納部が体重計部から突出する分だけ装置が大型化し、後者の体脂肪計でも、カールコードの収納部は体重計部内に収まるもののグリップ部が体重計部から突出し、その分だけ装置が大型化し、収納性に劣るという問題があった。
【００１３】
本発明は、かかる従来技術の課題を解決するためになされたものであって、その目的とするところは、使い勝手のよい体重計及び健康管理指針アドバイス装置を提供することにある。
【００１４】
【課題を解決するための手段】
上記目的を達成するために、本発明は、使用者が載る荷重支持手段と、前記荷重支持手段上に載る使用者の体重を測定する体重測定手段とを備えた体重計であって、前記荷重支持手段を上方に向けて配置した状態で該上方へ突出する突出部を備え、前記突出部は前記体重計を持ち上げるための取っ手としての機能を有する体重計である。
【００１５】
前記体重計は、該体重計を略直立させる際に接地する接地部を有し、前記突出部の一方の端部と前記接地部は略同一面上に位置することが好ましい。
【００１６】
また、本発明は、使用者が載る荷重支持手段と、前記荷重支持手段上に載る使用者の体重を測定する体重測定手段とを有し、少なくとも前記荷重支持手段を含む体重計部を備えた健康管理指針アドバイス装置であって、前記荷重支持手段を上方に向けて配置した状態で該上方へ突出する突出部を備え、前記突出部は前記体重計部を持ち上げるための取っ手としての機能を有する健康管理指針アドバイス装置である。
【００１７】
前記健康管理指針アドバイス装置は略直立させて収納する際に接地する接地部を有し、前記突出部の一方の端部と前記接地部は略同一面上に位置することが好ましい。
【００１８】
前記荷重支持手段上に設けられ、使用者の足裏に接触する電極と、前記電極を介して印加され、又は検出される電気信号に基づいて健康管理に有益な指針情報を算出する指針情報算出手段とを備えることが好適である。
【００１９】
前記突出部は、荷重支持手段上に載る使用者に対して左右方向の中央部に設けられていることが好適である。
【００２０】
また、本発明は、使用者が載る荷重支持手段と、該荷重支持手段に載った使用者の体重を検出する体重検出手段とを含む第１のユニットと、情報を表示する表示手段及び操作指示情報を入力する操作手段を含み、前記第１のユニットに着脱自在に設けられた第２のユニットと、前記第１のユニット及び第２のユニットの少なくともいずれかに設けられた使用者の身体に電流を印加するための電流印加用電極と、前記第１のユニット及び第２のユニットの少なくともいずれかに設けられた使用者の身体に印加された電流によって生じる身体抵抗電位を測定するための電圧測定用電極と、前記体重検出手段の検出結果と前記身体抵抗電位の測定値とに基づいて健康管理に有益な指針情報を算出する指針情報算出手段とを備えた健康管理指針アドバイス装置において、前記荷重支持手段を上方に向けて配置した状態で上方に突出する突出部を備え、前記突出部は、少なくとも前記第１のユニットを持ち上げるための取っ手としての機能を有する健康管理指針アドバイス装置である。
【００２１】
前記突出部は、前記荷重支持手段上に載る使用者に対して左右方向の中央部に設けられることが好ましい。
【００２２】
前記第１のユニットは略直立させて収納する際に接地する接地部を有し、前記突出部の一方の端部と前記接地部は略同一面上に位置することが好適である。
【００２３】
前記第１のユニット及び第２のユニットを有線で接続して信号を伝送する有線伝送手段を備え、前記突出部が、前記有線伝送手段を収容する収容部を備えることが好適である。
【００２４】
また、本発明は、使用者が載る荷重支持手段と、該荷重支持手段に載った使用者の体重を検出する体重検出手段とを含む第１のユニットと、前記第１のユニットに着脱自在に設けられ、使用者が把持する把持部を有する第２のユニットと、前記第１のユニット及び第２のユニットの少なくともいずれかに設けられた使用者の身体に電流を印加するための電流印加用電極と、前記第１のユニット及び第２のユニットの少なくともいずれかに設けられた使用者の身体に印加された電流によって生じる身体抵抗電位を測定するための電圧測定用電極と、前記体重検出手段の検出結果と前記身体抵抗電位の測定値とに基づいて健康管理に有益な指針情報を算出する指針情報算出手段とを備えた健康管理指針アドバイス装置において、前記第１のユニットの、前記荷重支持手段に載る使用者に対する左右方向の中央部に、前記第２のユニットを装着する装着手段を備え、前記装着手段に装着された第２のユニットは、前記荷重支持手段を上方に向けて配置した状態で該上方へ突出し、前記健康管理指針アドバイス装置を持ち上げるための取っ手としての機能を有する健康管理指針アドバイス装置である。
【００２５】
【発明の実施の形態】
以下、本発明を図示の実施形態に基づいて説明する。
【００２６】
（第１の実施形態）
第１の実施形態に係る健康管理指針アドバイス装置としての体重計について説明する。
【００２７】
図１（ａ）は、体重計の載台上方から見た正面図であり、図１（ｂ）は同左側面図である。
【００２８】
体重計１０は、台座部２上に載台３を配置した構成を有する。荷重支持手段である載台３は、上面３１が略四角形状であり、上面３１の縁部から下方（図１（ａ）では紙面奥側、図１（ｂ）では左方）に折り曲げられ、台座部２の四方の側面の上側を覆う側面部３２を有する。台座部２は、体重計１０の構成に応じて、例えば、上面が取り去られて開口する直方体形状をなし、体重測定手段を内部に収容する。
【００２９】
載台３の上面３１の前方（図１（ａ）では上方、図１（ｂ）では右方）の端部の中央には、体重測定値を表示する表示部４が配置されている。載台３の上面３１の中央の前後方向（図１（ａ），（ｂ）では上下）に取っ手として機能する突出部５が設けられている。突出部５は、載台３の上面３１から上方（図１（ａ）では紙面手前側、図１（ｂ）では右方）に突出するとともに、表示部４の後方の位置から載台３の上面３１の後端部近傍にまで延びる板状をなす。突出部５は、使用者が突出部５を掴み、体重計１０全体を持ち上げることができる程度の大きさ及び強度を有する。
【００３０】
使用者は、体重計１０の移動時には、突出部５を掴んで移動させる。
【００３１】
このように、使用者は、体重計１０を持ち上げるときに載台３の上面３１に設けられた突出部５を掴めばよいので、あまり屈むことなく、自然な動作で軽く体重計を持ち上げて移動することができる。また、体重計１０を持ち上げるときに載台１０の足が直接触れる部分に触れずに移動させることができるので、衛生的である。
【００３２】
（変形例）
図２に、本実施形態に係る体重計の変形例を示す。
【００３３】
体重計１１は、突出部５１の構成のみが体重計１０と異なる。
【００３４】
取っ手として機能する突出部５１は、載台３の上面３１の中央の前後方向に設けられ、載台３の上面３１から上方に突出するとともに、表示部４の後方の位置から載台３の上面３１の後端部近傍にまで延びる。但し、突出部５１は、前後方向の端部においてのみ載台３の上面３１に接合し、前後方向の中間部位に孔５１０が設けられ、突出部５１と載台３の上面３１との間には空間が形成されている。
【００３５】
使用者が、体重計１１を移動させる際に突出部５１を掴んで移動させるが、孔５１０に指を回して孔５１０を握ることができるので、より確実に保持することができる。
【００３６】
図３は、本発明の実施形態に係る体重計のさらに他の変形例を示す。
【００３７】
体重計１２は、突出部５２の構成のみが体重計１１と異なる。
【００３８】
取っ手として機能する突出部５２は、載台３の上面３１の中央の前後方向に設けられ、載台３の上面３１から上方に突出するとともに、表示部４の後方の位置から後側面３２ａとほぼ同一面上となる位置まで延びる。突出部５２の前後方向の中間部位には、突出部５１と同様に孔５２０が設けられている。
【００３９】
使用者が、体重計１２を移動させる際に、孔５２０に指を回して、突出部を掴んで移動させることができるので、確実に保持することができる。さらに、台座部２が接地する使用状態から、後側面（接地部）３２を接地させて直立させ、体重計１２を収納する際に、突出部５２の端部５２ａが、接地する載台３の側面３２ａと同一面上にあるので、略Ｔ字状に交差する突出部端部５２ａと載台側面３２ａとによって体重計１２が接地する。すなわち、体重計１２の後側面３２ａを接地させて収納する場合に、突出部５２がスタンドの機能を有する。従って、収納時の安定性が向上し、壁面等のような立て掛けるべき立設面が無い場所にも、後端面上に自立させた状態で収納することができる。また、突出部５２の端部５２ａ側を接地させるように構成し、収納時の方向性を規定することにより、表示部４が収納時には床面から離れて位置するので、掃除機等の衝突による損傷を防止することができる。
【００４０】
（第２の実施形態）
第２の実施形態にかかる健康管理指針アドバイス装置としての体脂肪計について説明する。
【００４１】
図４（ａ）は、体脂肪計の載台上方から見た正面図であり、図４（ｂ）は同左側面図である。
【００４２】
本実施形態に係る体脂肪計１３は体重計と一体に設けられている。
【００４３】
第１の実施形態と同様の構成については同様の符号を用いて説明を省略する。
【００４４】
体脂肪計１３は、台座部２上に載台２３を載置した構成を有する。荷重支持手段としての載台２３は、上面２３１が略四角形状であり、上面２３１の縁部から下方（図４（ａ）では紙面奥側、図４（ｂ）では左方）に折り曲げられ、台座部２の四方の側面の上側を覆う側面部２３２を有する。台座部２は、体脂肪計１３の構成に応じて、例えば、上面が取り去られて開口する直方体形状をなし、体脂肪率等の健康管理に有益な指針情報を算出する指針情報算出手段及び体重検出手段を内部に収容する。
【００４５】
載台２３の上面２３１の前方（図４（ａ）、（ｂ）では上方）の端部の中央には、体脂肪率及び体重測定値等の健康管理に有益な指針情報を含む種々の情報を表示する表示部４と、種々のデータや操作指示を入力するための入力部６とが配置されている。載台２３の上面２３１の中央の前後方向（図４（ａ），（ｂ）では上下）に取っ手として機能する突出部５が設けられている。突出部５は、載台２３の上面２３１から上方（図４（ａ）では紙面手前側、図４（ｂ）では右方）に突出するとともに、表示部４の後方の位置から載台２３の上面２３１の後端部近傍にまで延びる板状をなす。
【００４６】
載台２３の上面２３１には、電流印加用電極７１，７２及び電圧測定用電極７３，７４が突出部５を挟んで配置されている。使用者は、前方に向かい、突出部５を跨ぐように載台２３上に載る。このとき、使用者の左右足裏のつま先側がそれぞれ電流印加用電極７１，７２に接触し、左右足裏の踵側がそれぞれ電圧測定用電極７３，７４に接触する。電流印加用電極７１，７２から使用者の身体に高周波電流を印加し、この電流によって生じる身体抵抗電位を電圧測定用電極７３，７４を介して測定する。このようにして使用者のインピーダンスを測定し、公知の方法により体脂肪率、体脂肪量、除脂肪量、肥満度等の健康管理に有益な指針情報を算出する。体重計によって測定した体重測定値に基づいて、体脂肪率等を算出する方法も知られており、さらに別途入力した使用者の年齢、性別、身長等の身体特定化情報に基づいて同様に体脂肪率等を算出することもできる。インピーダンスを測定し、体脂肪率等の健康管理に有益な指針情報を算出する指針情報算出手段としては、公知の構成等の種々の構成を採用することができる。
【００４７】
このように、使用者が掴んで体脂肪計１３全体を持ち上げることができる突出部５を載台２３の上面２３１に設けたので、使用者は上方から突出部５を掴んで体脂肪計１３を持ち上げ、容易に移動させることができ、使い勝手がよい。
【００４８】
また、特に下半身が太った人では、載台２３の上面２３１に載り、電流印加用電極７１，７２及び電圧測定用電極７３，７４に足裏を接触させた状態で、太股が接触して、通電経路が短絡し、正しいインピーダンス測定ができない可能性があり、足が幅広の人では、足の内側が接触する可能性があったが、載台２３の上面２３１の左右の中央部に突出部を設けたので、このような事態を防止し、正確な測定が可能となる。
【００４９】
（変形例）
図５に、本実施形態に係る体脂肪計の変形例を示す。
【００５０】
図５（ａ）は、体脂肪計の載台上方から見た正面図であり、図５（ｂ）は同左側面図である。
【００５１】
体脂肪計１４は、取っ手として機能する突出部５１の構成のみが体脂肪計１３と異なる。
【００５２】
突出部５１は、載台２３の上面２３１の中央の前後方向に設けられ、載台２３の上面２３１から上方に突出するとともに、表示部４の後方の位置から載台２３の上面２３１の後端部近傍にまで延びる。但し、突出部５１は、前後方向の端部においてのみ載台２３の上面２３１に接合し、前後方向の中間部位に孔５１０が設けられ、突出部５１と載台２３の上面２３１との間には空間が形成されている。
【００５３】
使用者が、体脂肪計１４を移動させる際に突出部５１を掴んで移動させるが、孔５１０に指を回して孔５１０を握ることができるので、より確実に保持することができる。
【００５４】
図６は、本発明の実施形態に係る体脂肪計の他の変形例を示す。
【００５５】
図６（ａ）は、体脂肪計の載台上方から見た正面図であり、図６（ｂ）は同左側面図である。
【００５６】
体脂肪計１５は、取っ手として機能する突出部５２の構成のみが体脂肪計１４と異なる。
【００５７】
突出部５２は、載台２３の上面２３１の中央の前後方向に設けられ、載台２３の上面２３１から上方に突出するとともに、表示部４の後方の位置から側面２３２ａとほぼ同一面上となる位置まで延びる。突出部５２の前後方向の中間部位には、突出部５１と同様に孔５２０が設けられている。
【００５８】
使用者が、体脂肪計１５を移動させる際に、孔５２０に指を回して、突出部５２を掴んで移動させることができるので、確実に保持することができる。さらに、台座部２が接地する使用状態から、直立させ側面（接地部）２３２ａを接地させて、体脂肪計１５を収納する際に、突出部５２の端部５２ａが、接地する載台２３の側面２３２ａと同一面上にあるので、略Ｔ字状に交差する突出部端部５２ａと載台側面２３２ａとによって体脂肪計１５が接地する。従って、収納時の安定性が向上し、壁面等のような立て掛けるべき立設面が無い場所にも、後端面上に自立させた状態で収納することができる。
【００５９】
（第３の実施形態）
第３の実施形態に係る健康管理指針アドバイス装置としての体脂肪計について説明する。
【００６０】
図７（ａ），（ｂ）は、体脂肪計の載台上方から見た正面図であり、図７（ｃ）は同左側面図である。
【００６１】
本実施形態に係る体脂肪計１６は、体重計部１６１と表示ユニット１６２と備える。第１のユニットとしての体重計部１６１と第２のユニットとしての表示ユニット１６２は有線伝送手段としてのカールコード１６３によって接続されている。
【００６２】
第１及び第２の実施形態と同様の構成については同様の符号を用いて説明を省略する。
【００６３】
体重計部１６１は、台座部４２上に荷重支持手段としての載台３３を載置した構成を有する。載台３３は、上面３３１が略四角形状であり、上面３３１の縁部から下方（図７（ａ），（ｂ）では紙面奥側、図７（ｃ）では左方）に折り曲げられ、台座部４２の四方の側面の上側を覆う側面部３３２を有する。載台３３の前端部には、中央部において上面３３１から側面部３３２ｂまで切り欠かれている。上面３３１の前端部は略半円形状に切り欠かれ、切り欠きは側面部３３２ｂの下端部に至り、後述する台座部４２の切り欠きとともに表示ユニット１６２を収容するための開口部３３３を形成する。
【００６４】
載台３３の上面３３１には、電流印加用電極７１，７２及び電圧測定用電極７３，７４が突出部５を挟んで配置されている。使用者は、前方に向かい、突出部５を跨ぐように載台３３上に載る。このとき、使用者の左右足裏のつま先側がそれぞれ電流印加用電極７１，７２に接触し、左右足裏の踵側がそれぞれ電圧測定用電極７３，７４に接触する。
【００６５】
台座部４２は、上面が取り去られて開口する略直方体形状をなす。台座部４２の前側の側面部４２２の中央部の上方が切り欠かれるとともに、切り欠かれて形成された側面部４２２開口部の下方の縁部が前方に突出し略半円形の第１表示ユニット支持部４２３を形成する。第１表示ユニット支持部４２３の左右両側方には、側面部４２２から前方に突出するとともに前端部において上方に屈曲する略Ｌ字形の板状部材からなる第２表示ユニット支持部４２４，４２５が設けられている。台座部４２の内部には、指針情報算出手段及び体重検知手段が収容される。
【００６６】
表示ユニット１６２は、扁平な略円柱形状の基部１６２１と、基部１６２１の両側方に延びる略円柱状のグリップ部１６２２，１６１６とからなる。円柱形状の軸方向の一方の端面が基部１６２１の前面（図７（ａ），（ｂ）では紙面手前側。尚、表示ユニット１６２についての方向は使用者の前方で対面する使用時の状態を基準として説明する。）をなし、グリップ部１６２２，１６２３は円柱形状の周面から突設されている。基部１６２１の前面１６２１ａの上部には、体脂肪率及び体重測定値等の健康管理に有益な指針情報を含む種々の情報を表示する表示部１６２４が、下部には、種々のデータや操作指示を入力するための入力部１６２５がそれぞれ設けられている。グリップ部１６２２，１６２３は、基部１６２１側から順に電流印加用電極２３２６，２３２７及び電圧測定用電極２３２８，２３２９がそれぞれ円柱形状の周面に沿って設けられている。
【００６７】
カールコード２３３の体重計部２３１側の端部は、開口部３３３の内部から引き出されている。
【００６８】
開口部３３３の内部には、台座部４２と載台３３とによって表示ユニットを収容するための空間が形成されている。カールコード１６３を縮め、第１表示ユニット支持部４２３上に、表示ユニット１６２の後面が対向するように載置すると、グリップ部１６２２，１６２３は、第２表示ユニット支持部４２４，４２５と載台３３の側面部３３２ｂとの間に挟持される。このとき、表示ユニット１６２の下部は開口部３３３の内部に挿入される。収納時には、表示ユニット１６２の前面１６２１ａの外縁が載台３３の上面３３１の略半円形状の切り欠きに一致し、表示部１６２４は上方を向いて配置されるので、上方から視認できる。
【００６９】
体脂肪計１６を使用する場合には、表示ユニット１６２を体重計部１６１から取り外し、載台３３上に載った使用者が、グリップ部１６２２，１６２３を上方から握り、直立する使用者の前方に両手を伸ばし、表示部１６２４が正対するように保持する。
【００７０】
このとき、グリップ部１６２２，１６２３の電流印加用電極１６２６，１６２７が親指と人差し指の間の股部に接触し、電圧測定用電極１６２８，１６２９が中指から小指の付け根と手首との間の掌部に接触する。電流印加用電極１６２６，１６２７から使用者の身体に高周波電流を印加し、この電流によって生じる身体抵抗電位を電圧測定用電極１６２８，１６２９を介して測定する。このようにして使用者のインピーダンスを測定し、公知の方法により体脂肪率、体脂肪量、除脂肪量、肥満度等の健康管理に有益な指針情報を算出する。体重計によって測定した体重測定値に基づいて、体脂肪率等を算出する方法も知られており、さらに別途入力した使用者の年齢、性別、身長等の身体特定化情報に基づいて同様に体脂肪率等を算出することもできる。インピーダンスを測定し体脂肪率等の健康管理に有益な指針情報を算出する指針情報算出手段としては、公知の構成等の種々の構成を採用することができる。
【００７１】
使用者は、載台３３上に載るので、載台３３の電流印加用電極７１，７２及び電圧測定用電極７３，７４も足裏に接触している。掌及び足裏に接触した電極によって使用者の身体に形成される通電経路は、上述のものに限られず、一方の掌と一方の足裏とを連結するものであってもよいし、グリップ部１６２２，１６２３の左右の電流印加用電極１６２６，１６２７同士、電圧測定用電極１６２８，１６２９同士を電気的に短絡させ、また、載台３３上の左右の電流印加用電極７１，７２同士、電圧測定用電極７３，７４同士を電気的に短絡させ、両掌と両足裏を連結するものであってもよい。また、電極間の接続関係を切替え、通電経路を切替えられるようにしてもよい。
【００７２】
また、体脂肪計１６は、図７（ｂ）に示すように表示ユニット１６２を体重計部１６１に収納した状態で、第２の実施形態に係る体脂肪計１４と同様に使用することにより、体重の測定及び体脂肪率等の測定を行うこともできる。
【００７３】
ここでも、使用者が体脂肪計１６を移動させる場合には、突出部５を掴んで移動させることができるので、確実に保持することができ、使い勝手がよい。
【００７４】
また、特に下半身が太った人では、載台３３の上面３３１に載り、電流印加用電極７１，７２及び電圧測定用電極７３，７４に足裏を接触させた状態で、太股が接触して、通電経路が短絡し、正しいインピーダンス測定ができない可能性があり、足が幅広の人では、足の内側が接触する可能性があったが、載台３３の上面３３１の左右の中央部に突出部５を設けたので、このような事態を防止し、正確な測定が可能となる。
【００７５】
（変形例）
図８に、本発明の第３の実施形態に係る体脂肪計の変形例を示す。
【００７６】
図８（ａ）は体脂肪計１７の体重計部１７１を載台上方から見た正面図であり、図８（ｂ）は同左側面図である。
【００７７】
体脂肪計１７は、体重計部１７１の突出部５１の構成のみが体脂肪計１６と異なる。
【００７８】
取っ手として機能する突出部５１は、載台３３の上面３３１の中央の前後方向に設けられ、載台３３の上面３３１から上方に突出するとともに、開口部３３３の後方の位置から載台３３の上面３３１の後端部近傍にまで延びる。但し、突出部５１は、前後方向の端部においてのみ載台３３の上面３３１に接合し、前後方向の中間部位に孔５１０が設けられ、突出部５１と載台３３の上面３３１との間には空間が形成されている。
【００７９】
使用者が、体脂肪計１７を移動させる際に突出部５１を掴んで移動させるが、孔５１０に指を回して孔５１０を握ることができるので、より確実に保持することができる。
【００８０】
図９は、本発明の第３の実施形態に係る体脂肪計の他の変形例を示す。
【００８１】
図９（ａ）は体脂肪計１８の体重計部１８１の載台上方から見た正面図であり、図９（ｂ）は同左側面図である。
【００８２】
体脂肪計１８は、体重計部１８１の突出部５２の構成のみが体脂肪計１７と異なる。
【００８３】
取っ手部として機能する突出部５２は、載台３３の上面３３１の中央の前後方向に設けられ、載台３３の上面３３１から上方に突出するとともに、開口部３３３の後方の位置から側面３３２ａとほぼ同一面上となる位置まで延びる。突出部５２の前後方向の中間部位には、突出部５１と同様に孔５２０が設けられている。
【００８４】
使用者が、体脂肪計１８を移動させる際に、孔５２０に指を回して、突出部５２を掴んで移動させることができるので、確実に保持することができる。さらに、台座部４２が接地する使用状態から、直立させ側面（接地部）３３２を接地させて、体脂肪計１８を収納する際に、突出部５２の端部５２ａが、接地する載台３３の側面３３２ａと同一面上にあるので、略Ｔ字状に交差する突出部端部５２ａと載台側面３３２ａとによって体脂肪計１８が接地する。従って、収納時の安定性が向上し、壁面等のような立て掛けるべき立設面が無い場所にも、後端面上に自立させた状態で収納することができる。
【００８５】
図１０に、本発明の実施形態に係る体脂肪計のさらに他の変形例を示す。
【００８６】
図１０（ａ）は体脂肪計１９の体重計部１９１の載台上方から見た正面図であり、図１０（ｂ）は同左側面図である。図１１は、表示ユニット１６２を、第１表示ユニット支持部４１６、第２表示ユニット支持部４２４，４２５から取り外した状態を示す斜視図であり、図１２は、表示ユニット１６２を、第１表示ユニット支持部４２３、第２表示ユニット支持部４２４，４２５に支持させて、体重計部１９１に収納した状態を示す斜視図である。
【００８７】
体脂肪計１９は、突出部５４，５５及びカールコード１６３の収納構造のみが体脂肪計１８と異なる。
【００８８】
取っ手として機能する突出部５４，５５は、載台３３の上面３３１の中央において、前後方向に左右に平行に配置されている。突出部５４，５５の前端部５４１，５４２は載台３３の上面３３１の開口部３３３の縁部から上方に突出し、後端部５４３，４５４は側面３３２ａとほぼ同一面上となる位置から上方に突出している。突出部５４，５５の前後方向の中間部位には、孔５４０，５５０が設けられている。突出部５４と５５とは間隙を隔てて平行に配置されており、この間隙がカールコード収納部５６を構成する。ここでは、カールコード１６３の端部は、載台３３の上面３３１上のカールコード収納部５６の後端部から引き出されている。
【００８９】
表示ユニット１６２を体重計部１９１に収納した状態では、カールコード１６３は、突出部５４と突出部５５とに挟まれるようにして、カールコード収容部５６に収容される。カールコード１６３の端部は、表示ユニット１６２の基部１６２１の下部の周面の中央部から引き出されている。表示ユニット１６２を体重計部１９１に収納した状態では、表示ユニット１６２からのカールコード１６３の引出部位と、載台３３の上面３３１からのカールコード１６３の引出部位はいずれも体重計部１９１の左右方向の中央部に沿って位置するので、表示ユニット１６２の体重計部１９１から脱着させる際の、表示ユニット１６３を体重計部１６１に対して前後及び上下方向に移動させる動作に伴って、自然な動作でカールコード１６３をカールコード収納部５６から容易に取り出し、又は収納することができる。また、突出部５４にカールコード１６３の収納部５６を設けることにより、コードリールのような複雑かつ高価な構造が不要となるので、構造を簡略化し低コストで提供することができる。
【００９０】
（第４の実施形態）
第４の実施形態に係る健康管理指針アドバイス装置としての体脂肪計について説明する。
【００９１】
本実施形態に係る体脂肪計２０は、体重計部２０１とグリップユニット２０２とを備える。
【００９２】
図１３は体脂肪計のグリップユニット２０２を体重計部２０１から取り外した状態を示す斜視図であり、図１４はグリップユニット２０２を体重計部２０１に装着した状態を示す斜視図である。
【００９３】
体重計部２０１は、第２の実施形態に係る体脂肪計１３と共通する構成を有するので、同様の構成については同様の符号を用いて説明を省略する。図示しない台座部については、体脂肪計１３と同様に構成することができるので、載台２３についてのみ説明する。
【００９４】
載台２３は、上面２３１の前方中央部に表示部４及び入力部６を備えるとともに、左右に電流印加用電極７１，７２及び電圧測定用電極７３，７４を備える。載台２３の上面２３１の中央部の入力部６の後方から側面２３２ａまでに至るガイド部（装着手段）２３４は、上面２３１上で、略Ｕ字状に隆起した形状をなす。ガイド部２３４は前方及び左右側方の縁部２３４ａ，ｂ，ｃが上面２３１に接合され、縁部２３４ａ，２３４ｂ，２３４ｃからは中央部に向けて、間隙を隔てて上面２３１の上方を覆う肩部２３４ｄ，２３４ｅ，２３４ｆが延びている。ガイド部２３４の中央部には後端側が開放された略Ｕ字状の開口部２３４ｇが設けられている。肩部２３４ｅ及び肩部２３４ｆの後端部側は接合されておらず、肩部２３４ｅ，２３４ｆと上面２３１との間に形成された空間は後端側に開口し、導入部２３４ｈを形成している。
【００９５】
グリップユニット２０２は、略円柱形状のグリップ部２０２１とグリップ部（把持部）２０２１の周面に接合される支持台部２０２２とからなる。グリップ部２０２１には、中央側に電流印加用電極２０２１１，２０２１２、端部側に電圧測定用電極２０２１３，２０２１４がそれぞれ周面に沿って設けられている。支持台部２０２２は、グリップ部２０２１の軸方向に延びる略長方形の板状の装着部２０２２１と、グリップ部２０２１の周面から突設され、装着部２０２２に接合される支持柱部２０２２２とからなる。
【００９６】
グリップユニット２０２の装着部２０２２は、その長手方向に沿って、ガイド部２３４の導入部２３４ｈから挿入され、ガイド部２３４と上面２３１との間の空間に収納される。ここで、グリップユニット２０２の装着部２０２２の短手方向の長さは、ガイド部２３４と上面２３１との間に形成された空間の左右方向の幅より小さく、かつ、開口部２３４ｇの左右方向の幅よりも大きく設定されている。また、グリップユニット２０２の装着部２０２２の高さは、ガイド部２３４と上面２３１との間に形成された空間の高さ、すなわち、肩部２３４ｄ，２３４ｅ，２３４ｆと上面２３１との間隙の高さよりも小さく設定されている。装着部２０２２はガイド部２３４に確実に嵌合し、グリップユニット２０２は装着状態では安定的に保持され、容易に脱落することはない。
【００９７】
ガイド部２３４に装着されたグリップユニット２０２は、載台２３の上面２３１の左右方向の中央部において上方へ突出し、電流印加用電極７１及び電圧測定用電極７３と電流印加用電極７２及び電圧測定用電極７４とを空間的に隔てる。
【００９８】
グリップユニット２０２の装着部２０２２を、ガイド部２３４の前端部まで挿入した状態では、グリップ部２０２１の軸方向の端面２０２１ａが載台２３の側面部２３２ａと同一面上に位置する。従って、体脂肪計２０を側面部２３２ａを接地させて直立させた場合には、グリップ部２０２１の端面２０２１ａも接地するので、安定的に自立することができる。
【００９９】
また、グリップユニット２０２と体重計部２０１はケーブルによっては接続されておらず、グリップユニット２０２と体重計部２０１の間の信号の送受信は、それぞれに設けられた赤外線等の無線通信手段によって行う。グリップユニット２０２を体重計部２０１に収納した状態で、グリップユニット２０２と体重計部２０１との間で情報の授受を行うために、グリップユニット２０２の装着部２０２２と体重計部２０１のガイド部２３４との間を電気的に直接接続する接点やコネクタを設けることもできる。
【０１００】
体脂肪計２０は、表示部４を通じた情報の確認及び入力部６を通じた情報の入力を体重計部２０１側で行う点を除いて、第３の実施形態に係る体脂肪計１８とほぼ同様の方法で使用することができる。
【０１０１】
このように、使用者が掴んで体脂肪計２０全体を持ち上げることができるグリップユニット２０２を載台２３の上面２３１に着脱可能に設けたので、使用者は上方からグリップユニット２０２を掴んで体脂肪計２０を持ち上げ、容易に移動させることができ、使い勝手がよい。
【０１０２】
また、特に下半身が太った人では、載台２３の上面２３１に載り、電流印加用電極７１，７２及び電圧測定用電極７３，７４に足裏を接触させた状態で、太股が接触して、通電経路が短絡し、正しいインピーダンス測定ができない可能性があり、足が幅広の人では、足の内側が接触する可能性があったが、載台２３の上面２３１の左右の中央部に突出部を設けたので、このような事態を防止し、正確な測定が可能となる。
【０１０３】
上述の第１乃至第４の実施形態では、台座部２における体重測定手段、及び台座部４２における体重検知手段の構成については特に限定していないが、体重測定手段及び体重検知手段として、台座部２，４２の四隅に４つの荷重センサを設ける構成であれば、これら４つの荷重センサの中央部に形成される空間領域を前後に縦断するように突出部が配置されることとなり、補強部材としての機能も併せて果たすことができるので、構造上も好ましい。
【０１０４】
【発明の効果】
以上説明したように本発明によれば、使い勝手のよい体重計及び健康管理指針アドバイス装置を提供することができる。
【図面の簡単な説明】
【図１】図１（ａ）は本発明の第１の実施形態に係る体重計の正面図、図１（ｂ）は同左側面図である。
【図２】図２（ａ）は本発明の第１の実施形態の変形例に係る体重計の正面図、図２（ｂ）は同左側面図である。
【図３】図３（ａ）は本発明の第１の実施形態の他の変形例に係る体重計の正面図、図３（ｂ）は同左側面図である。
【図４】図４（ａ）は本発明の第２の実施形態に係る体脂肪計の正面図、図４（ｂ）は同左側面図である。
【図５】図５（ａ）は本発明の第２の実施形態の変形例に係る体脂肪計の正面図、図５（ｂ）は同左側面図である。
【図６】図６（ａ）は本発明の第２の実施形態の変形例に係る体脂肪計の正面図、図６（ｂ）は同左側面図である。
【図７】図７（ａ），（ｂ）は、本発明の第３の実施形態に係る体脂肪計の載台上方から見た正面図であり、図７（ｃ）は同体重計部の左側面図である。
【図８】図８（ａ）は本発明の第３の実施形態の変形例に係る体脂肪計の体重計部の載台上方から見た正面図であり、図８（ｂ）は同左側面図である。
【図９】図９（ａ）は本発明の第３の実施形態の他の変形例に係る体脂肪計の体重計部の載台上方から見た正面図であり、図９（ｂ）は同左側面図である。
【図１０】図１０（ａ）は本発明の第３の実施形態の他の変形例に係る体脂肪計の体重計部の載台上方から見た正面図であり、図１０（ｂ）は同左側面図である。
【図１１】図１１は表示ユニットを取り外した状態を示す斜視図である。
【図１２】図１２は表示ユニットを体重計部に収納した状態を示す斜視図である。
【図１３】図１３は本発明の第４の実施形態に体脂肪計のグリップユニットを体重計部から取り外した状態を示す斜視図である。
【図１４】図１４は本発明の第４の実施形態に体脂肪計のグリップユニットを体重計部に装着した状態を示す斜視図である。
【図１５】図１５は従来例に係る体重計を示す図である。
【符号の説明】
１０，１１　　　　　　　　　　　　　　　　　　　　体重計
５，５１，５２，５４，５５　　　　　　　　　　　　突出部
１３，１４，１５，１６，１７，１８，１９，２０　　体脂肪計
１７１，１９１　　　　　　　　　　　　　　　　　　体脂肪計部
５６　　　　　　　　　　　　　　　　　　　　　　　カールコード収納部
７１，７２　　　　　　　　　　　　　　　　　　　　電流印加用電極
７３，７４　　　　　　　　　　　　　　　　　　　　電圧測定用電極
１６１，２０１　　　　　　　　　　　　　　　　　　体重計部
１６２　　　　　　　　　　　　　　　　　　　　　　表示ユニット
１６３　　　　　　　　　　　　　　　　　　　　　　カールコード
２０２　　　　　　　　　　　　　　　　　　　　　　グリップユニット
２３４　　　　　　　　　　　　　　　　　　　　　　ガイド部
【図１】
2004144571.tif 000003
【図２】
2004144571.tif 000004
【図３】
2004144571.tif 000005
【図４】
2004144571.tif 000006
【図５】
2004144571.tif 000007
【図６】
2004144571.tif 000008
【図７】
2004144571.tif 000009
【図８】
2004144571.tif 000010
【図９】
2004144571.tif 000011
【図１０】
2004144571.tif 000012
【図１１】
2004144571.tif 000013
【図１２】
2004144571.tif 000014
【図１３】
2004144571.tif 000015
【図１４】
2004144571.tif 000016
【図１５】
2004144571.tif 000017